(57)【要約】【課題】  ネットワーク遅延や混雑を解消することが可能なファクシミリシステムを提供する。【解決手段】  パソコン１とファクシミリ装置２がネットワーク３で接続され、パソコン１上のファイルをパソコン１からファクシミリ送信指示することにより、ファクシミリ装置２は、ネットワーク３を経由してそのデータを受信し、かつそのデータをファクシミリ送信することが可能なファクシミリシステムにおいて、複数宛先にファクシミリ送信をする際に、複数宛先ごとの送付状データを、一つにまとめてファクシミリ装置２に送信する。【選択図】  図１
2005210531.tif 000002
【特許請求の範囲】
【請求項１】
パソコンとファクシミリ装置がネットワークで接続される構造を有し、パソコン上のファイルをパソコンからファクシミリ送信指示することにより、ファクシミリ装置は、ネットワークを経由してそのデータを受信し、かつそのデータをファクシミリ送信することが可能であるファクシミリシステムにおいて、複数宛先にファクシミリ送信をする際に、複数宛先ごとの送付状データを、一つにまとめてパソコンからファクシミリ装置に送信することを特徴とするファクシミリシステム。
【請求項２】
請求項１のファクシミリシステムにおいて、ファクシミリ装置に通知された宛先データを送付状データに展開するべく、ｘ／ｙ軸の座標や文字の大きさをファクシミリ装置に送信することを特徴とするファクシミリシステム。
【請求項３】
請求項２のファクシミリシステムにおいて、ファクシミリ装置に通知された宛先データを送付状データに展開するべく、ファクシミリ装置にフォントがない場合は、宛先データをフォントデータに展開した旨のデータも付けて送信することを特徴とするファクシミリシステム。
【請求項４】
請求項２又は３のファクシミリシステムにおいて、送信された各種の情報を元に、ファクシミリ装置に通知された宛先データを送付状データに上書きすることを特徴とするファクシミリシステム。
【発明の詳細な説明】
【技術分野】
【０００１】
本発明は、ファクシミリシステムに関する。
【背景技術】
【０００２】
パソコンとファクシミリ装置がネットワークで接続され、パソコン上のファイルをパソコンからファクシミリ宛送信指示することにより、ファクシミリ装置が、ネットワークを経由してパソコンのデータを受信し、かつそのデータをファクシミリ送信することが可能なファクシミリシステムが提案されている。
【発明の開示】
【発明が解決しようとする課題】
【０００３】
上記のファクシミリシステムにおいて、複数宛先に送る時の送付状データは、宛先ごとの情報込みの送付状データを複数宛先分パソコン上で作成してファクシミリ装置に送る。これにより複数宛先分の情報込みの送付状データがネットワークを通じてファクシミリ装置に届くので、ファクシミリ装置がデータを受取るまでに時間がかかる（遅延が発生する）。
また、ファクシミリ装置への送信中はネットワーク資源をそれだけ使用することになるので、ネットワークの混雑を招く。例えば５００件宛先に送るときは、送付状データを５００件分パソコンで作成して、それをファクシミリ装置に送っており、それだけ煩瑣にネットワークが使用されることになる。
本発明は、ネットワーク遅延や混雑を解消することが可能なファクシミリシステムを提供することを目的とする。
【課題を解決するための手段】
【０００４】
上記目的を達成するために、請求項１記載の発明は、パソコンとファクシミリ装置がネットワークで接続される構造を有し、パソコン上のファイルをパソコンからファクシミリ送信指示することにより、ファクシミリ装置は、ネットワークを経由してそのデータを受信し、かつそのデータをファクシミリ送信することが可能であるファクシミリシステムにおいて、複数宛先にファクシミリ送信をする際に、複数宛先ごとの送付状データを、一つにまとめてパソコンからファクシミリ装置に送信するファクシミリシステムを最も主要な特徴とする。
請求項２記載の発明は、請求項１のファクシミリシステムにおいて、ファクシミリ装置に通知された宛先データを送付状データに展開するべく、ｘ／ｙ軸の座標や文字の大きさをファクシミリ装置に送信するファクシミリシステムを主要な特徴とする。
請求項３記載の発明は、請求項２のファクシミリシステムにおいて、ファクシミリ装置に通知された宛先データを送付状データに展開するべく、ファクシミリ装置にフォントがない場合は、宛先データをフォントデータに展開した旨のデータも付けて送信するファクシミリシステムを主要な特徴とする。
請求項４記載の発明は、請求項２又は３のファクシミリシステムにおいて、送信された各種の情報を元に、ファクシミリ装置に通知された宛先データを送付状データに上書きするファクシミリシステムを主要な特徴とする。
【発明の効果】
【０００５】
本発明によれば、複数宛先分だけ、送付状データをネットワーク上に流していることをやめるので、その分ネットワークワークの負荷が軽くなる、また、ファクシミリ送信までの遅延が少なくなる。現在、５００宛先のファクシミリ送信指示でネットワークからデータを受取るまでに、実際上１５分ぐらいかかるが、これが３分ぐらいになる。
【発明を実施するための最良の形態】
【０００６】
以下、本発明の実施の形態を図面に従って説明する。
図１は本発明のファクシミリシステムの構成図である。本ファクシミリシステムは、パソコン１とファクシミリ装置２がネットワーク(プリンタケーブルを含む)３で接続されることで構成される。ここで、パソコン１からファクシミリ送信を指示することによりパソコン１上の該当ファイルをファクシミリ装置２から送信する。すなわち、ファクシミリ装置２は、ネットワーク３を経由してパソコン１からの該当するデータを受信し、かつそのデータをファクシミリ送信することが可能である。
【実施例１】
【０００７】
一般的な複数宛先Ｎの場合のデータは、図２に示すように、「宛先データ１→送付状データ１→宛先データ２→送付状データ２→・・・・→宛先データＮ→送付状データＮ→本文」というデータ構造となっている。
実施例１ではこれを、図３のように送付状データを一つにする。即ち、「宛先データ１→宛先データ２→・・・・→宛先データＮ→送付状データ→本文データ」（宛先データと送付状データの並びは、逆でもよい）とする。
送付状データは宛先情報とは異なり同じデータである。よって、複数宛先があっても送付状データをパソコン１から一回だけ送って、後で各宛先ごとの宛先データを受け取り、ファクシミリ装置２側でページメモリなどに展開した送付状データに宛先データを上書きすることにより、ネットワーク遅延や混雑を解消する。
【実施例２】
【０００８】
宛先データを拡大した図が図４である。ここに送付状データを展開するためのｘ／ｙ座標やフォントサイズを乗せる。また、ファクシミリ装置２にフォントがない場合には、この宛先データ内に送付状データに展開させるイメージデータをセットさせる（宛先情報内のデータの並びはどの順番でもよい）。
本実施例では、送付状データに各宛先情報データを展開するための座標や文字の大きさを得る。また送付状データに各宛先情報データを展開するための宛先データのフォントをファクシミリ装置側で持っていない場合は、宛先情報データをフォントデータ展開したイメージデータを得る。
【実施例３】
【０００９】
図５のように送付状データをページメモリなどのメモリに展開し、宛先データを上書きする。実施例２で指示された通りの情報で宛先データを展開する。また、実施例２でファクシミリ装置にフォントがない場合は、パソコン１からもらったイメージデータを展開する。ファクシミリ装置２にフォントがある場合は、ファクシミリ装置内でイメージデータを作成して展開する。
本実施例では、このように、ファクシミリ装置側のページメモリなどに展開した送付状データに、宛先情報データを上書きし、それをファクシミリ送信する。
【図面の簡単な説明】
【００１０】
【図１】本発明のファクシミリシステムの構成図である。
【図２】一般的なデータの流れを示す図である。
【図３】本発明のデータの流れを示す図である。
【図４】宛先データの種類を示す図である。
【図５】ページメモリの内容を示す図である。
【符号の説明】
【００１１】
１  パソコン、２  ファクシミリ装置、３  ネットワーク
【図１】
2005210531.tif 000003
【図２】
2005210531.tif 000004
【図３】
2005210531.tif 000005
【図４】
2005210531.tif 000006
【図５】
2005210531.tif 000007